(57)【特許請求の範囲】
【請求項１】
イメージを表示する表示部、当該表示部における表示内容を制御する制御部、当該制御部に対する入力手段としてのキーボード部を備えるコンピュータ装置であって、
前記キーボード部は、前記コンピュータ装置の筐体に対して着脱可能に装着され、
前記筐体は、
前記キーボード部を係止する係止部と、
前記キーボード部が前記筐体から取り外されるときに当該キーボード部が前記係止部を避けるようにガイドするガイド部と、
を備えていることを特徴とするコンピュータ装置。
【請求項２】
前記制御部は、前記筐体内にて前記キーボード部の下方に内蔵されていることを特徴とする請求項１記載のコンピュータ装置。
【請求項３】
前記筐体は、前記キーボード部を収める開口部を有し、
前記係止部は、前記筐体から前記開口部内方に向けて突出し、かつ前記キーボード部を係止する係止面を有し、
前記ガイド部は、前記筐体から前記開口部内方に向けて突出し、基端側から先端側に向けて、当該筐体の内方側から外方側に傾斜するガイド面を有していることを特徴とする請求項１記載のコンピュータ装置。
【請求項４】
複数のキーを備えたキーボードであって、
上下動可能なキーを支持するベースと、
前記ベースを保持する窓を有したベゼルと、
を備え、
前記ベゼルの前記窓には、前記ベースの一端側を保持する第一の保持部および当該ベースの他端側を保持する第二の保持部が形成され、
前記第二の保持部は、前記窓から内方に突出形成され、下面が基端部から先端部に向けて漸次上昇する傾斜面とされた係止部材を有することを特徴とするキーボード。
【請求項５】
前記第二の保持部は、前記窓から内方に突出形成され、下面が平面とされた他の係止部材をさらに有することを特徴とする請求項４記載のキーボード。
【請求項６】
前記係止部材の下面は、基端部が前記他の係止部材の下面よりも下方に位置していることを特徴とする請求項５記載のキーボード。
【請求項７】
前記係止部材および前記他の係止部材は、前記キーボードの中央部に対してその両側にそれぞれ形成され、
かつ、前記係止部材は、前記他の係止部材よりも前記キーボードの中央部側に形成されていることを特徴とする請求項５記載のキーボード。
【請求項８】
前記第一の保持部は、前記第二の保持部側から当該第一の保持部側への前記ベースの移動を許容し、
前記第二の保持部は、前記第一の保持部側から当該第二の保持部側への前記ベースの移動を規制するストッパを有し、
前記ベゼルは、前記ベースを前記ストッパに押し付ける押し付け部材を有していることを特徴とする請求項４記載のキーボード。
【請求項９】
上下動可能な複数のキーを有したキーボード部と、当該キーボード部の周囲に装着されるベゼルとからなるキーボード用ユニットであって、
前記ベゼルには、前記キーボード部を保持する保持部が形成され、
前記ベゼルまたは前記キーボード部には、前記キーボード部の一方の側を下方から上方に向けて持ち上げたときに、当該キーボード部の他方の側に向けてスライドさせつつ前記一方の側を斜め上方に移動させることによって、前記保持部による当該キーボード部の保持を解除するガイド部が形成されていることを特徴とするキーボード用ユニット。
【請求項１０】
前記ベゼルは、前記キーボード部を収める開口部を有し、前記ガイド部は、前記開口部内方に向けて突出形成されて、基端部から先端部に向けて厚さが漸次小さくなることを特徴とする請求項９記載のキーボード用ユニット。
【請求項１１】
前記ベゼルは、前記キーボード部を押し上げるときにユーザが指を挿入する挿入孔を有し、
前記ガイド部は、前記保持部よりも前記挿入孔側に配置されていることを特徴とする請求項９記載のキーボード用ユニット。
【請求項１２】
前記保持部および前記ガイド部は、前記ベゼルの表面に連続して形成されていることを特徴とする請求項９記載のキーボード用ユニット。
【請求項１３】
キーボード部の周囲に装着されるベゼルであって、
前記キーボード部を収めるための開口部と、
前記開口部の一方の側にて、当該開口部の周囲から当該開口部の他方の側に向けて延出し、下面が平面とされた第一の係止部材と、
前記開口部の一方の側にて、当該開口部の周囲から当該開口部の他方の側に向けて延出し、下面が基端部から先端部側に向けて漸次上昇する傾斜部とされた第二の係止部材と、
を備えることを特徴とするベゼル。
【請求項１４】
前記開口部の他方の側に、当該開口部の周囲から当該開口部の一方の側に向けて延出する第三の係止部材をさらに備えることを特徴とする請求項１３記載のベゼル。
【請求項１５】
前記開口部の一方の側に、前記ベゼルの表面に略直交する壁部をさらに備えることを特徴とする請求項１３記載のベゼル。
【請求項１６】
前記壁部の下端部に、前記開口部の他方の側に向けて延出する延出部をさらに備えることを特徴とする請求項１５記載のベゼル。
【請求項１７】
前記開口部に収められる前記キーボード部を前記壁部に向けて付勢する付勢部をさらに備えることを特徴とする請求項１５記載のベゼル。
【発明の詳細な説明】
【０００１】
【発明の属する技術分野】
本発明は、キーボードを備えたコンピュータ装置等に関する。
【０００２】
【従来の技術】
ノートブック型のＰＣは、図７に示すように、イメージを表示するモニタ部１と、キーボード部２を備えた本体部３とが開閉可能に連結された構成となっている。本体部３は、モニタ部１と本体部３を折り畳んだ状態で外殻をなすクラムシェルと称される筐体４と、モニタ部１と本体部３を開いた状態でキーボード部２の周囲に装着されるベゼル５と、キーボード部２とを備え、これら筐体４、ベゼル５、キーボード部２によって囲まれる内部空間Ａに、マザーボードやＨＤＤ、メモリ等を内蔵する構成となっている。
ところで、キーボード部２は、複数のキー６および回路基板(図示無し)がベースパネル７に装着されることによってユニット化されている。このようなキーボード部２は、従来、ベゼル５に対し、ネジ等によって一体に固定されるものが多かった。このような構造では、キーボード部２をベゼル５の裏側(内部空間Ａ側)からネジで固定するのが一般的である。
このような従来の構造は、キーボード部２を取り外すにはベゼル５を筐体４から取り外す必要があり、一般には、出荷後にキーボード部２を取り外すようなケースを想定していない。
【０００３】
ところが、最近ではメモリ増設やＨＤＤの交換、増設用デバイスの組込み等のＰＣのカスタマイズが広く行なわれている。このため、ＰＣメーカのサービス担当者やＰＣ販売店でこのような依頼をユーザから受けたり、あるいはユーザ自身でカスタマイズを行なうことがある。したがって、不慣れなサービス担当者やユーザであっても、キーボード部２を容易に取り外すことのできる構造が望まれ、近年のモデルでは、キーボード部２を、筐体４およびベゼル５から容易に取り外すことができるようになっているものもある。
【０００４】
図７に示したものは、キーボード部２がベゼル５からワンタッチで取り外せる構造を有したＰＣの一例である。このＰＣでは、ベゼル５に形成された係止部１０、１１によって、キーボード部２の相対向する二辺が係止される構成となっている。また、係止部１０、１１に対応した位置には、キーボード部２を支持するための受け部１２、１３が設けられている。そして、キーボード部２は、その前端部２ａと後端部２ｂが受け部１２、１３と係止部１０、１１に上下を挟まれた状態で保持されるようになっている。
キーボード部２は、装着状態において、例えば前端部２ａ側が受け部１２に形成されたストッパ１４に押し付けられた状態で位置決めされている。このため、キーボード部２には下方に突出するピン１５が形成され、ベゼル５側には、ピン１５に対応した位置に位置決め爪１６が設けられている。位置決め爪１６が有する弾性変形することによって生じる付勢力によって、ピン１５を押圧し、キーボード部２をストッパ１４に押し付けるのである。
【０００５】
キーボード部２の脱着を行なう場合、ユーザ(あるいはサービス担当者：以下、単にユーザと称する)は、指を本体部３の下面側から筐体４に形成された孔(図示無し)に挿入し、キーボード部２の裏側(内部空間Ａ側)から前端部２ａ近傍に触れる。そして、この部分を後端部２ｂ側に向けて押すことによって、キーボード部２を後端部２ｂ側にスライドさせる(図７中の矢印(１)参照)。キーボード部２が所定寸法スライドすると、キーボード部２の前端部２ａが係止部１０から外れるので、この状態で未だ係止部１１と受け部１３との間にはさまれている後端部２ｂ側を中心としてキーボード部２が回動することによって、前端部２ａ側が押し上げられ、ベゼル５から外れる(図７中の矢印(２)参照)。この後、キーボード部２を前端部２ａ側に引けば、後端部２ｂ側も係止部１１と受け部１３の間から引き出され、これによってキーボード部２がベゼル５から完全に取り外せるのである(図７中の矢印(３)参照)。
また、キーボード部２をベゼル５に装着する場合は、上記とは逆の手順を踏めば良い。
【０００６】
【発明が解決しようとする課題】
しかしながら、上記したような従来の構成では、以下に示すような問題が存在する。
キーボード部２は、上記したように、
(１)後端部２ｂ側へのスライド
(２)係止部１０から外れた時点での前端部２ａ側の押し上げ
(３)後端部２ｂの係止部１１と受け部１３の間からの引き出し
といった動作で取り外す必要がある。
例えば、操作(１)に先行して操作(２)を行なうと、キーボード部２の前端部２ａが係止部１０から外れていないのでキーボード部２を手際良く取り出すことはできない。
その結果、(１)のスライドを完全に行なわないまま、つまりキーボード部２の前端部２ａが係止部１０から外れないままの状態で(２)の押し上げ動作を無理やり行なってしまい、ベゼル５やキーボード部２に傷が付いてしまうようなことが起こらないとは言い切れない。
本発明は、このような技術的課題に基づいてなされたもので、キーボード部の取り外しを容易かつ確実に行なうことのできるコンピュータ装置やキーボードを提供することを目的とする。
【０００７】
【課題を解決するための手段】
かかる目的のもと、本発明のコンピュータ装置は、キーボード部が筐体に対して着脱可能に装着され、この筐体は、キーボード部を係止する係止部と、キーボード部が筐体から取り外されるときに係止部を避けるようにガイドするガイド部と、を備えることを特徴とする。より具体的には、係止部は、筐体からキーボード部を収めるための開口部内方に向けて突出形成されて、キーボード部を係止する係止面を有している。また、ガイド部は、筐体から開口部内方に向けて突出形成され、その基端側から先端側に向けて、筐体の内方側(キーボード部の下面側)から外方側(キーボード部の表面側)に傾斜するガイド面を有している。ところで、このようなコンピュータ装置は、制御部を筐体内にてキーボード部の下方に内蔵した、いわゆるノートブック型のものとすることができる。
【０００８】
本発明のキーボードは、ベゼルにベースを保持する窓が形成され、この窓に、ベースの一端側を保持する第一の保持部と他端側を保持する第二の保持部を形成し、第二の保持部は、下面が基端部から先端部に向けて漸次上昇する傾斜面とされた係止部材を有することを特徴とする。
この第二の保持部は、下面が平面とされた他の係止部材をさらに有することもできる。この場合、係止部材の下面は、基端部が他の係止部材の下面よりも下方に位置しているのが好ましい。また、係止部材は、他の係止部材よりもキーボードの中央部側に形成するのが好ましい。これにより、キーボードを取り外すためにキーボードの中央部近傍を持ち上げたときに、ベースが傾斜面を有した係止部材に先行して当たる。
このようなキーボードは、キーボード単体はもちろんのこと、ベースの下方に制御部を有した形態のコンピュータ装置やその他のデバイスにも適用することができる。
【０００９】
本発明は、キーボード部と、その周囲に装着されるベゼルとからなるキーボード用ユニットとして捉えることもでき、このキーボード用ユニットは、ベゼルにキーボード部を保持する保持部を形成し、キーボード部の一方の側を下方から上方に向けて持ち上げたときに、キーボード部の他方の側に向けてスライドさせつつ一方の側を斜め上方に移動させることによって、保持部による当該キーボード部の保持を解除するガイド部を形成することを特徴とする。ここで、このガイド部は、ベゼル側に形成することもできるし、キーボード部側に形成することも可能である。
このようなガイド部は、ベゼルに形成された開口部の内方に向けて突出形成し、その基端部から先端部に向けて厚さを漸次小さくするのが好ましい。
また、保持部およびガイド部をベゼルの表面に連続して形成すれば、保持部やガイド部の機能をユーザに意識させることの無いデザインとすることができる。
【００１０】
本発明は、キーボード部の周囲に装着されるベゼルとして捉えることもでき、キーボード部を収めるための開口部の一方の側に、下面が平面とされた第一の係止部材と、下面が基端部から先端部側に向けて漸次上昇する傾斜部とされた第二の係止部材と、を備えることを特徴とする。
このとき、開口部の他方の側に、開口部の周囲から開口部の一方の側に向けて延出する第三の係止部材をさらに備えることもできる。
また、開口部の一方の側に、ベゼルの表面に略直交する壁部をさらに備えることもでき、この壁部の下端部に、開口部の他方の側に向けて延出する延出部をさらに備えて、この延出部でキーボード部を受けることもできる。また、開口部に収められるキーボード部を付勢部で壁部に向けて付勢すれば、この壁部でキーボード部を位置決めすることができる。
【００１１】
【発明の実施の形態】
以下、添付図面に示す実施の形態に基づいてこの発明を詳細に説明する。
図１は、本実施の形態におけるＰＣの構造を説明するための図である。この図１に示すように、ノートブック型のＰＣ(コンピュータ装置)２０は、イメージを表示するモニタ部(表示部)１と、キーボード部２を備えた本体部３とが開閉可能に連結された構成となっている。本体部３は、上部が開口し、マザーボードやＨＤＤ、メモリ等の制御部を収めるトレイ状の筐体４と、入力手段としてのキーボード部２と、このキーボード部２の周囲に位置して筐体４の上部に装着されるベゼル３０と、を備える構成となっている。
ここで、本実施の形態において、本体部３がモニタ部１に連結される側３ａと、これに対向する側３ｂとを結ぶ方向を“前後方向”、これに直交する方向を“幅方向”と称するものとする。
【００１２】
キーボード部２は、図７に示したものと同じ構成であり、上下動可能とされた複数のキー６および回路基板(図示無し)がベースパネル(ベース)７に装着されることによってユニット化されている。
ここで、ベースパネル７は、複数のキー６の配置に対応した外形形状を有しており、さらにその外周縁部には、上方に所定の高さで立ち上がる外周壁部７ａが略全周にわたって形成されている。
【００１３】
図２に示すように、ベゼル３０は、キーボード部２の外形形状に応じた開口部(窓)３０ａを有している。この開口部３０ａには、キーボード部２の外周側においてユーザ側に露出する面を形成するベゼル３０のフェイス面３０ｂに対し、ベゼル３０の裏面側に向けて略直交する方向に延出する周壁(ストッパ、壁部)３１が、開口部３０ａの略全周にわたって形成されている。
また、図２および図３(ａ)に示すように、ベゼル３０には、幅方向中央部で、かつユーザがＰＣ２０に対面した状態で前後方向の手前側となる位置に、キーボード部２を取り外すときに指を通す挿入孔３２を形成するため、周壁３１から開口部３０ａの内方に張り出した位置にブリッジ３３が設けられている。また、このブリッジ３３には、キーボード部２の裏面に設けられたピン１５を通すための孔３４が形成され、この孔３４には、位置決め爪(押し付け部材、付勢部)１６が下方に突出するよう形成されている。図３(ｂ)に示すように、この位置決め爪１６は、下端部１６ａに向けて所定の方向(下端部１６ａが孔３４の内方に張り出す方向)に傾斜するよう形成されており、キーボード部２のピン１５を孔３４に通したときに、自らが弾性変形することによって発生する付勢力で、このピン１５を所定の方向に押圧するようになっている。
【００１４】
図２に示したように、周壁３１の下端部には、その周方向において複数箇所に、開口部３０ａの内方に向けて突出し、キーボード部２のベースパネル７を受ける受け部(延出部)３５が形成されている。本実施の形態において、受け部３５は、周壁３１の周方向において複数箇所に略所定間隔毎に設けられた構成となっているが、これに限るものではなく、周壁３１の周方向に連続するよう形成することも可能である。
【００１５】
ベゼル３０の開口部３０ａにおいて、ブリッジ３３が設けられている側とは反対側(図１において本体部３とモニタ部１との連結部側)には、周壁３１の上端部、すなわちベゼル３０のフェイス面３０ｂに連続し、ブリッジ３３が設けられている側に向けて庇状に延びる係止部(第一の保持部、保持部、第三の係止部材)３６が形成されている。この係止部３６は、開口部３０ａの幅方向両側に設けられている。
これによって、キーボード部２の一端側は、図７の場合と同様、受け部３５と係止部３６との間に上下を挟まれた状態で保持されるようになっているのである。
【００１６】
一方、開口部３０ａにおいて、ブリッジ３３が設けられている側には、周壁３１の上端部、すなわちベゼル３０のフェイス面３０ｂに連続して、第一係止部(係止部、第二の保持部、保持部、第一の係止部材)３７と第二係止部(ガイド部、第二の保持部、係止部材、第二の係止部材)３８とが設けられている。
第一係止部３７は、開口部３０ａの幅方向両側に形成されている。図４(ａ)および図５に示すように、第一係止部３７は、その先端部３７ａが周壁３１から所定の寸法Ｔ１だけ離間するよう形成されている。また、この第一係止部３７は、その下面(係止面)３７ｂが、周壁３１に対して略直交するよう形成されている。
【００１７】
図２に示したように、第二係止部３８は、開口部３０ａの幅方向において、両側の第一係止部３７、３７よりも所定寸法中央部寄りの２箇所に形成されている。つまり、ブリッジ３３に形成された挿入孔３２に対し、その両側の近い側に第二係止部３８、３８が設けられ、さらに外側に第一係止部３７、３７が設けられた構成となっているのである。
図４(ｂ)および図５に示したように、この第二係止部３８は、その先端部３８ａが周壁３１から所定の寸法Ｔ２だけ離間するよう形成されている。ここで、第一係止部３７における寸法Ｔ１と、第二係止部３８における寸法Ｔ２は、
Ｔ１＜Ｔ２
とするのが好ましく、寸法Ｔ１とＴ２の間には、例えば０．２ｍｍ程度の差を設けるのがさらに好ましい。
また、第二係止部３８の下面(ガイド面、傾斜面、傾斜部)３８ｂは、第一係止部３７の下面３７ｂのように周壁３１に対して略直交するのではなく、周壁３１に対し、所定の角度をなして傾斜するよう形成されている。ここで、下面３８ｂは、周壁３１側の根元(基端部)から先端部３８ａに向かうにしたがい、徐々にベゼル３０の裏面側からフェイス面３０ｂ側に近づくよう形成されている。さらに詳しく言えば、下面３８ｂは、第二係止部３８の根元の周壁３１に接する部分において第一係止部３７の下面３７ｂよりも下方に位置し、先端部３８ａ側において第一係止部３７の下面３７ｂと略同じ高さとなるよう、傾斜面が形成されているのである。
【００１８】
さて、ベゼル３０の開口部３０ａの有効開口は、周壁３１によって形成されるのではなく、厳密には、上記したように、周壁３１と、この周壁３１から内方に突出して形成された係止部３６、第一係止部３７、第二係止部３８によって形成されることになる。このようにして、開口部３０ａは、係止部３６、第一係止部３７、第二係止部３８により、前後方向においてキーボード部２のベースパネル７よりも所定寸法小さな開口寸法を有した構成となっている。一方、開口部３０ａにおいて、幅方向両側には何らの突起物が設けられておらず、キーボード部２のベースパネル７と略同じ(若干大きい)開口寸法を有している。
【００１９】
このような構成のベゼル３０に対し、キーボード部２は、以下のようにして装着される。
すなわち、図７に示したように、キーボード部２は、その後端部２ｂが受け部３５と係止部３６の間に上下を挟まれた状態で保持され、前端部２ａが受け部３５と第一係止部３７および第二係止部３８の間に上下を挟まれた状態で保持されるようになっている。
この状態で、図３に示したように、キーボード部２は、下方に突出するピン１５が、ブリッジ３３の孔３４内に位置し、所定の方向に傾斜した位置決め爪１６によってピン１５が押圧され、これによってキーボード部２の前端部２ａ(ベースパネル７の前端部)側が周壁３１に押し付けられて位置決めされている。また、キーボード部２のベースパネル７の外周壁部７ａは、その上端部が第二係止部３８の下面３８ｂの根元よりも下方に位置するようになっている。
【００２０】
さて、図６に示すように、ユーザがキーボード部２をベゼル３０から取り外す場合、ユーザは、本体部３の下面側から、筐体４に形成された孔(図示無し：バッテリーパック装着部分等に形成される)に自らの指を挿入する。そして、その指をベゼル３０のブリッジ３３によって形成された挿入孔３２の部分に位置させると、キーボード部２のベースパネル７の前端部の裏側に触れることができる。そして、ユーザは、指でこの部分を上方に押し上げると、キーボード部２は、ベースパネル７の外周壁部７ａの上部が、押し上げている部分の両側に位置する第二係止部３８の下面３８ｂに押し付けられる。すると、第二係止部３８の下面３８ｂは傾斜面となっているので、ベースパネル７は、この下面３８ｂにガイドされる形で、斜め上方に押し上げられる。これに伴ない、ベースパネル７は、その幅方向両端部に対応する第一係止部３７、３７の部分においても斜め上方に一体に移動する。
その結果、ベースパネル７の外周壁部７ａは、第二係止部３８の先端部３８ａまで移動した時点で、第二係止部３８による係止状態から外れることになる。略これと同時に、ベースパネル７の外周壁部７ａは、その両側の第一係止部３７による係止状態からも外れることになる。
ところで、上記の動作は、実際には、ベースパネル７は、指で押している部分、つまりベースパネル７の幅方向における中央部付近が、両端部よりも上方に押し上げられた状態に撓むため、中央寄りの第二係止部３８、３８の下面３８ｂに先行して当たってガイドされる。これにより、ベースパネル７、すなわちキーボード部２の斜め後方へのスライドが確実に行なわれるのである。
【００２１】
このようにして、キーボード部２は、前端部２ａが第二係止部３８の下面３８ｂに倣って斜め上方(斜め後方)に移動することによって、未だ係止部３６と受け部３５との間にはさまれている後端部２ｂ側を中心として回動しつつも、後端部２ｂ側では後方へのスライドが生じる。そして、前端部２ａ側がベゼル３０の第一係止部３７および第二係止部３８から外れた時点で、キーボード部２を前端部２ａ側に引けば、後端部２ｂ側も係止部３６と受け部３５の間から引き出され、これによってキーボード部２がベゼル３０から完全に取り外せるのである。
【００２２】
上述したような構成によれば、ベゼル３０に下面３８ｂが傾斜面とされた第二係止部３８を設けるようにしたので、下方から指で押し上げるのみでキーボード部２が斜め後方にスライドし、第一係止部３７および第二係止部３８によるキーボード部２の前端部２ａ側の係止を解除することができる。これにより、ユーザは、キーボード部２を従来のように手探りでスライドさせたりすることなく、ワンタッチで取り外すことが可能となる。その結果、ユーザ自身におけるメモリ増設等の各種作業を容易かつ確実に行なうことが可能となる。
【００２３】
なお、上記実施の形態では、下面３８ｂが傾斜面となっている第二係止部３８をキーボード部２の中央部寄りに設け、その外側に第一係止部３７を設ける構成としたが、これは、キーボード部２を取り外すときに力を加える箇所との関係に基づいて決められる。したがって、例えばキーボード部２の両端部側を押し上げるような場合であれば、力を加える位置に近い側に傾斜面からなる下面３８ｂを有した第二係止部３８を設ければよい。
また、下面３８ｂが傾斜面となっている第二係止部３８のみで、通常状態においてキーボード部２が不要に外れることの無いよう、確実な係止状態が維持できるのであれば、下面３７ｂが平面からなる第一係止部３７を省略することもできる。
加えて、上記実施の形態では、ユーザがＰＣ２０に対峙した状態から見てキーボード部２の手前側に第一係止部３７および第二係止部３８を設けるようにしたが、必ずしもこれに限るものではなく、キーボード部２の奥側(モニタ部１側)に設けるようにしても良いし、キーボード部２の幅方向に対する両側あるいは一方の側に設けるようにしても良い。
なお、上記実施の形態では、ＰＣ２０として、いわゆるノートブック型のものを例に挙げたが、これに限るものではなく、キーボード単体、あるいはＰＣ以外のデバイスに用いられるキーボード等にも同様の構成を適用することが可能である。
これ以外にも、本発明の主旨を逸脱しない限り、上記実施の形態で挙げた構成を取捨選択したり、他の構成に適宜変更することが可能である。
【００２４】
【発明の効果】
以上説明したように、本発明によれば、キーボード部の取り外しを容易かつ確実に行なうことが可能となる。
【図面の簡単な説明】
【図１】  本実施の形態におけるＰＣの構成を示す図である。
【図２】  ＰＣのキーボード部のベゼルの構成を示す斜視図である。
【図３】  (ａ)はベゼルに形成された位置決め爪を示す図、(ｂ)は位置決め爪によってキーボード部が一方の側に押し付けられる状態を示す図である。
【図４】  (ａ)は第一係止部とキーボード部との係合状態を示す図であり、(ｂ)は第二係止部とキーボード部との係合状態を示す図である。
【図５】  ベゼルに形成した第一係止部および第二係止部を示す斜視図である。
【図６】  キーボード部をベゼルから取り外す状態を示す図である。
【図７】  従来の構造において、キーボード部をベゼルから取り外すときの動きを示す図である。
【符号の説明】
２…キーボード部、３…本体部、４…筐体、６…キー、７…ベースパネル(ベース)、１５…ピン、１６…位置決め爪(押し付け部材、付勢部)、２０…ＰＣ(コンピュータ装置)、３０…ベゼル、３０ａ…開口部(窓)、３０ｂ…フェイス面、３１…周壁(ストッパ、壁部)、３２…挿入孔、３５…受け部(延出部)、３６…係止部(第一の保持部、保持部、第三の係止部材)、３７…第一係止部(係止部、第二の保持部、保持部、第一の係止部材)、３７ａ…先端部、３７ｂ…下面(係止面)、３８…第二係止部(ガイド部、第二の保持部、係止部材、第二の係止部材)、３８ａ…先端部、３８ｂ…下面(ガイド面、傾斜面、傾斜部)
【図１】
0003672249.tif 000002
【図２】
0003672249.tif 000003
【図３】
0003672249.tif 000004
【図４】
0003672249.tif 000005
【図５】
0003672249.tif 000006
【図６】
0003672249.tif 000007
【図７】
0003672249.tif 000008